(57)【要約】【課題】表示装置と映像送信装置とが変換アダプタを介して接続されたか否かを確実に判定する。【解決手段】  変換アダプタＡを介して映像送信装置ＶのＳＣＡＲＴ出力端子Ｖｐと接続される所定の外部入力端子１１０を備えたテレビジョン装置１００であって、変換アダプタＡの一のピンＡｏｕｔ２０が、映像送信装置Ｖの外部出力端子Ｖｐから出力された所定の情報を所定の電圧値としてテレビジョン装置１００の外部入力端子１１０の判別ピンに通知するピンであり、判別ピンに入力された電圧が所定の電圧値であるか否かによって、映像送信装置Ｖが変換アダプタＡを介してテレビジョン装置１００に接続されたか否かを判別する判別部１３０を備えていることを特徴とするテレビジョン装置１００。【選択図】図２
2019061107.tif 000002
【特許請求の範囲】
【請求項１】
変換アダプタを介して映像送信装置の外部出力端子と接続される所定の外部入力端子を備えた表示装置であって、
前記変換アダプタの一のピンが、前記映像送信装置の外部出力端子から出力された所定の情報を所定の電圧値として前記表示装置の外部入力端子の判別ピンに通知するピンであり、
前記判別ピンに入力された電圧が前記所定の電圧値であるか否かによって、前記映像送信装置が前記変換アダプタを介して前記表示装置に接続されたか否かを判別する判別部を備えていることを特徴とする表示装置。
【請求項２】
前記変換アダプタを介して前記判別ピンに入力される信号の前記所定の電圧値の電圧範囲と、前記変換アダプタを介さずに前記外部入力端子の判別ピンに入力される信号の電圧範囲とが異なることを特徴とする請求項１に記載の表示装置。
【請求項３】
前記外部入力端子の前記判別ピンに入力される信号の電圧が前記所定の電圧値の電圧範囲ではない場合に、使用不能である旨の警告を行うことを特徴とする請求項１または２に記載の表示装置。
【請求項４】
前記外部入力端子が、ディスプレイポート入力端子であり、
前記映像送信装置の外部出力端子が、ＳＣＡＲＴ出力端子であり、
前記変換アダプタへの入力信号が前記ＳＣＡＲＴ出力端子からの信号であることを特徴とする請求項１〜３のいずれか１項に記載の表示装置。
【請求項５】
前記変換アダプタの前記一のピンが、前記ＳＣＡＲＴ出力端子からの信号の１つであるワイドスクリーン切替信号を通知するピンであることを特徴とする請求項４に記載の表示装置。
【請求項６】
前記外部入力端子の判別ピンが、ディスプレイポート規格における３．３Ｖピンと接続されることを特徴とする請求項４または５に記載の表示装置。
【請求項７】
前記外部入力端子の信号出力ピンが、ディスプレイポート規格におけるグランドピンに接続されることを特徴とする請求項４〜６のいずれか１項に記載の表示装置。
【請求項８】
前記外部入力端子のグランドピンが、ディスプレイポート規格におけるホットプラグピンに接続されることを特徴とする請求項４〜７のいずれか１項に記載の表示装置。
【請求項９】
請求項１〜８のいずれか１項に記載の表示装置を備えたテレビジョン装置。
【発明の詳細な説明】
【技術分野】
【０００１】
本発明は、表示装置、テレビジョン装置に関し、より詳しくは、映像送信装置と変換アダプタを介して接続される表示装置、テレビジョン装置に関する。
【背景技術】
【０００２】
現在、テレビジョン装置に代表される表示装置は、単に受信した放送波を表示するだけでなく、パソコン等の電子機器や録画機器等からの送信される映像を表示することが求められている。そのため、表示装置は様々な外部機器と接続できるように様々な外部入力端子を有している。
外部入力端子は、例えば音声用の３．５ｍｍミニジャックの入力端子のような小型のものから、主に欧州で用いられるＳＣＡＲＴ端子の入力端子のような大型のものまで、種々存在している。
【０００３】
そして、表示装置に対しては年々薄型化・小型化の要請が高まっている。そこで、外部入力端子についても、入力端子数の減少や入力端子の小型化が求められている。ＵＳＢ端子やＨＤＭＩ端子は小型端子の規格があるため、この小型端子の規格に準拠して入力端子を作製すればよい。
しかしながら上述したＳＣＡＲＴ端子については、ＵＳＢ端子やＨＤＭＩ端子とは異なり、小型端子の規格が無いため、各社小型化に工夫を凝らしている。
【０００４】
ＳＣＡＲＴ端子の小型化の一例として、ＳＣＡＲＴ端子のピン数と同数のピン数を有するディスプレイポート端子を利用した表示装置が既に市販されている。この表示装置では、表示装置側にディスプレイポート入力端子が外部入力端子として形成されている。この外部入力端子と映像送信装置のＳＣＡＲＴ出力端子とが変換アダプタを介して接続されている。
なお、このようなＳＣＡＲＴ出力端子に接続される変換アダプタとして、一端がＳＣＡＲＴ端子であり他端がビデオ端子およびＤ端子であるものが知られている（例えば、特許文献１参照）
【先行技術文献】
【特許文献】
【０００５】
【特許文献１】特開２００７−３１８４８４号公報
【発明の概要】
【発明が解決しようとする課題】
【０００６】
上述のような表示装置を用いる場合、ＳＣＡＲＴ入力端子としてディスプレイポート入力端子を使用するため、使用者が誤ってこの「ＳＣＡＲＴ入力端子としてのディスプレイポート入力端子」にディスプレイポートケーブルの一端を接続し、ディスプレイポートケーブルの他端を映像送信装置につないでしまう虞がある。
【０００７】
この「ＳＣＡＲＴ入力端子としてのディスプレイポート入力端子」の各ピンは、ＳＣＡＲＴ規格に準拠して割り当てられているため、ディスプレイポート規格のピン割り当てとは異なっている。例えば、「ＳＣＡＲＴ入力端子としてのディスプレイポート入力端子」の１番ピンはＳＣＡＲＴ規格に従い「左側の音声出力」が割り当てられているが、ディスプレイポートの１番ピンは「Ｍａｉｎ  Ｌａｎｅ  ０＋」が割り当てられているため、両方出力信号となってしまう。これにより、「ＳＣＡＲＴ入力端子としてのディスプレイポート入力端子」にディスプレイポートケーブルを接続させてしまうと、表示装置あるいは映像送信装置が誤作動してしまう虞がある。しかしながら、ユーザーは、この誤動作が、ケーブルの接続を誤ったものであるのか、機器の故障によるものなのかを判別することはできず、適切な処置をとることができない。
【０００８】
本発明は、これらの実情に鑑みてなされたものであり、表示装置と映像送信装置とが変換アダプタを介して接続されたか否かを確実に判定することをその目的とする。
【課題を解決するための手段】
【０００９】
上記課題を解決するために、本発明の第１の技術手段は、変換アダプタを介して映像送信装置の外部出力端子と接続される所定の外部入力端子を備えた表示装置であって、前記変換アダプタの一のピンが、前記映像送信装置の外部出力端子から出力された所定の情報を所定の電圧値として前記表示装置の外部入力端子の判別ピンに通知するピンであり、前記判別ピンに入力された電圧が前記所定の電圧値であるか否かによって、前記映像送信装置が前記変換アダプタを介して前記表示装置に接続されたか否かを判別する判別部を備えていることを特徴とするものである。
【００１０】
第２の技術手段は、第１の技術手段において、前記変換アダプタを介して前記判別ピンに入力される信号の前記所定の電圧値の電圧範囲と、前記変換アダプタを介さずに前記外部入力端子の判別ピンに入力される信号の電圧範囲とが異なることを特徴とするものである。
【００１１】
第３の技術手段は、第１または第２の技術手段において、前記外部入力端子の前記判別ピンに入力される信号の電圧が前記所定の電圧値の電圧範囲ではない場合に、使用不能である旨の警告を行うことを特徴とするものである。
【００１２】
第４の技術手段は、第１〜第３の技術手段のいずれか１の技術手段において、前記外部入力端子が、ディスプレイポート入力端子であり、前記映像送信装置の外部出力端子が、ＳＣＡＲＴ出力端子であり、前記変換アダプタへの入力信号が前記ＳＣＡＲＴ出力端子からの信号であることを特徴とするものである。
【００１３】
第５の技術手段は、第４の技術手段において、前記変換アダプタの前記一のピンが、前記ＳＣＡＲＴ出力端子からの信号の１つであるワイドスクリーン切替信号を通知するピンであることを特徴とするものである。
【００１４】
第６の技術手段は、第４または第５の技術手段において、前記外部入力端子の判別ピンが、ディスプレイポート規格における３．３Ｖピンと接続されることを特徴とするものである。
【００１５】
第７の技術手段は、第４〜第６の技術手段のいずれか１の技術手段において、前記外部入力端子の信号出力ピンが、ディスプレイポート規格におけるグランドピンに接続されることを特徴とするものである。
【００１６】
第８の技術手段は、第４〜第７の技術手段のいずれか１の技術手段において、前記外部入力端子のグランドピンが、ディスプレイポート規格におけるホットプラグピンに接続されることを特徴とするものである。
【００１７】
第９の技術手段は、第１〜第８の技術手段のいずれか１の技術手段を備えたテレビジョン装置であることを特徴とするものである。
【発明の効果】
【００１８】
本発明によれば、変換アダプタの一のピンが、映像送信装置の外部出力端子から出力された所定の情報を所定の電圧値として表示装置の外部入力端子の判別ピンに通知するピンであり、表示装置が、映像送信装置と変換アダプタを介して接続されたか否かを判別する判別部を備えていることにより、判別部が判別ピンに入力された電圧が所定の電圧値であるか否かによって、映像送信装置が変換アダプタを介して表示装置に接続されたか否かを判別するため、表示装置と映像送信装置とが変換アダプタを介して接続されたか否かを確実に判定することができる。
【図面の簡単な説明】
【００１９】
【図１】本発明の一実施形態に係るテレビジョン装置と映像送信装置との接続の一例を示す模式図である。
【図２】本発明の一実施形態に係るテレビジョン装置と映像送信装置とを変換アダプタで接続させた際の各ピンの割り当ての一例について整理した配線図である。
【図３】本発明の一実施形態に係るテレビジョン装置とコンテンツ送信装置とをディスプレイポートケーブルで接続させた際の各ピンの信号を整理した配線図である。
【図４】本発明の一実施形態に係るテレビジョン装置が実行する接続判定フローを示したフローチャートである。
【図５】本発明の一実施形態に係るテレビジョン装置が誤った接続状態であることの通知方法の一例を示す模式図である。
【発明を実施するための形態】
【００２０】
以下、添付図面を参照しながら、本発明の表示装置、テレビジョン装置に係る好適な実施形態について説明する。以下の説明において、異なる図面においても同じ符号を付した構成は同様のものであるとして、その説明を省略する場合がある。
【００２１】
図１は、本発明の一実施形態に係るテレビジョン装置と映像送信装置との接続の一例を示す模式図である。
図１に示した表示装置であるテレビジョン装置１００は、後述する映像送信装置Ｖとの接続にのみ用いる専用の外部入力端子１１０と、この外部入力端子１１０と電気的に接続されテレビジョン装置１００を制御する演算処理部１２０と、外部入力端子１１０および演算処理部１２０と電気的に接続され外部入力端子１１０へ接続されたケーブルについて所定の変換アダプタの使用の有無を判別する判別部１３０と、演算処理部１２０と電気的に接続される共に映像を表示する映像表示部１４０と、演算処理部１２０と電気的に接続されると共に音声を出力する音声出力部１５０と、演算処理部１２０と電気的に接続されると共にテレビジョン装置１００の状態を表示するＬＥＤ（状態表示部）１６０とを少なくとも備えている。
【００２２】
映像送信装置Ｖとの接続にのみ用いる専用の外部入力端子１１０は、ディスプレイポート入力端子を用いている。したがって、外部入力端子１１０には、２０本のピンが形成されている。
この外部入力端子１１０の２０本のピンには信号線１７０の一端が接続されている。この信号線１７０のうち、外部入力端子１１０の１番ピンから１９番ピンに一端が接続される１〜１９番ピン信号線１７１の他端は演算処理部１２０に接続されている。同様に、外部入力端子１１０の２０番ピンに一端が接続される２０番ピン信号線１７２の他端は判別部１３０に接続されている。
【００２３】
映像送信装置Ｖは、ブルーレイレコーダーやハードディスクレコーダーに代表される映像を外部に送信する機器であり、外部出力端子であるＳＣＡＲＴ出力端子Ｖｐを少なくとも備えている。ＳＣＡＲＴ出力端子Ｖｐは、ＳＣＡＲＴ端子の規格に準拠したものであり、２０本のピンが形成されている。
【００２４】
変換アダプタＡは、映像送信装置ＶのＳＣＡＲＴ端子Ｖｐと接続する入力部Ａｉｎと、テレビジョン装置１００の外部入力端子１１０と接続する出力部Ａｏｕｔとを少なくとも備えている。この入力部Ａｉｎと出力部Ａｏｕｔとは変換アダプタＡ内で結線されており、配線については後述する。
【００２５】
次に、映像送信装置Ｖとテレビジョン装置１００との信号の入出力について説明する。
図２は、本発明の一実施形態に係るテレビジョン装置と映像送信装置とを変換アダプタで接続させた際の各ピンの割り当ての一例について整理した配線図である。
まず、映像送信装置ＶのＳＣＡＲＴ出力端子Ｖｐの各ピンの割り当てについて説明する。ＳＣＡＲＴ出力端子Ｖｐの各ピンは、ＳＣＡＲＴ端子の規格に準拠したものであり、
１番ピンは右側の音声出力に割り当てられ、
２番ピンは右側の音声入力に割り当てられ、
３番ピンは左側の音声出力に割り当てられ、
４番ピンは音声信号のグランドに割り当てられ、
５番ピンは青色の映像信号グランドに割り当てられ、
６番ピンは左側の音声入力に割り当てられ、
７番ピンは青色の映像信号の入出力に割り当てられ、
８番ピンはスクリーンのアスペクト比を切り替えるワイドスクリーン切替信号の入出力に割り当てられ、
９番ピンは緑色の映像信号のグランドに割り当てられ、
１０番ピンはデータバスの入力に割り当てられ、
１１番ピンは緑色の映像信号の入出力に割り当てられ、
１２番ピンはデータバスの出力に割り当てられ、
１３番ピンは赤色の映像信号のグランドに割り当てられ、
１４番ピンはデータバスのグランドに割り当てられ、
１５番ピンは赤色の映像信号の入出力に割り当てられ、
１６番ピンはＲＧＢ信号とコンポジット信号の切替信号の入出力に割り当てられ、
１７番ピンは輝度信号の出力のグランドに割り当てられ、
１８番ピンは輝度信号の入力のグランドに割り当てられ、
１９番ピンは輝度信号の出力に割り当てられ、
２０番ピンは輝度信号の入力に割り当てられている。
また、上記のピンに加え、２１番ピンとして金属フレームによる共通グランドがＳＣＡＲＴ規格として定められている。本実施形態において、この２１番ピンは常に共通グランドとして取り扱うため、以後の説明では割愛する。
【００２６】
次に、テレビジョン装置１００の外部入力端子１１０の各ピンの割り当てについて説明する。本実施形態において、外部入力端子１１０は映像送信装置ＶのＳＣＡＲＴ出力端子Ｖｐと変換アダプタＡを介して接続されることを想定している。したがって、外部入力端子１１０の各ピンに割り当ては、全体としてはＳＣＡＲＴ規格に準拠している。
しかしながら、本実施形態では、外部入力端子１１０の各ピンの割り当ては、ＳＣＡＲＴ規格で定められた割り当てを一部変更し、次のように割り当てている。すなわち、
１番ピンは右側の音声入力に割り当てられ、
２番ピンは右側の音声出力に割り当てられ、
３番ピンは青色の映像信号グランドに割り当てられ、
４番ピンは音声信号のグランドに割り当てられ、
５番ピンは左側の音声出力に割り当てられ、
６番ピンは左側の音声入力に割り当てられ、
７番ピンは輝度信号の入力に割り当てられ、
８番ピンは青色の映像信号の入出力に割り当てられ、
９番ピンは緑色の映像信号のグランドに割り当てられ、
１０番ピンはデータバスの入力に割り当てられ、
１１番ピンは緑色の映像信号の入出力に割り当てられ、
１２番ピンは赤色の映像信号のグランドに割り当てられ、
１３番ピンはデータバスの出力に割り当てられ、
１４番ピンは赤色の映像信号の入出力に割り当てられ、
１５番ピンはデータバスのグランドに割り当てられ、
１６番ピンはＲＧＢ信号とコンポジット信号の切替信号の入出力に割り当てられ、
１７番ピンは輝度信号の出力のグランドに割り当てられ、
１８番ピンは輝度信号の入力のグランドに割り当てられ、
１９番ピンは輝度信号の出力に割り当てられ、
２０番ピンはスクリーンのアスペクト比を切り替えるワイドスクリーン切替信号の入出力に割り当てている。
【００２７】
変換アダプタＡは、上述のように各ピンに機能が割り当てられた映像送信装置ＶのＳＣＡＲＴ出力端子Ｖｐとテレビジョン装置１００の外部入力端子１１０とを接続している。
変換アダプタＡの入力部Ａｉｎは、前述のように映像送信装置ＶのＳＣＡＲＴ出力端子Ｖｐと接続されるものであり、ＳＣＡＲＴ出力端子Ｖｐの出力ピンと同数（２０個）の入力側ピンＡｉｎ１〜Ａｉｎ２０を有している。この入力側ピンＡｉｎ１〜Ａｉｎ２０とＳＣＡＲＴ出力端子Ｖｐの出力ピンとは、対応するピン同士が接続されている。すなわち、入力側ピンＡｉｎ１はＳＣＡＲＴ出力端子Ｖｐの１番ピンと、入力側ピンＡｉｎ２はＳＣＡＲＴ出力端子Ｖｐの２番ピンと接続されている（入力側ピンＡｉｎ３とＳＣＡＲＴ出力端子Ｖｐの３番ピン以下も同様）。
【００２８】
また、変換アダプタＡの出力部Ａｏｕｔは、前述のようにテレビジョン装置１００の外部入力端子１１０と接続されるものであり、外部入力端子１１０の出力ピンと同数（２０個）の出力側ピンＡｏｕｔ１〜Ａｏｕｔ２０を有している。この出力側ピンＡｏｕｔ１〜Ａｏｕｔ２０と外部入力端子１１０の入力ピンとは、対応するピン同士が接続されている。すなわち、出力側ピンＡｏｕｔ１は外部入力端子１１０の１番ピンと、出力側ピンＡｏｕｔ２は外部入力端子１１０の２番ピンと接続されている（出力側ピンＡｏｕｔ３とＳＣＡＲＴ出力端子Ｖｐの３番ピン以下も同様）。
【００２９】
次に、変換アダプタＡの入力部Ａｉｎの入力側ピンＡｉｎ１〜Ａｉｎ２０と変換アダプタＡの出力部Ａｏｕｔの出力側ピンＡｏｕｔ１〜Ａｏｕｔ２０との配線について説明する。
図２に示すように、本実施形態において、変換アダプタＡの入力部Ａｉｎの入力側ピンＡｉｎ１〜Ａｉｎ２０に接続されている信号線を信号線Ｃ１〜Ｃ２０とする。この信号線Ｃ１〜Ｃ２０は、対応する入力側ピンと接続されている。すなわち、入力側ピンＡｉｎ１には信号線Ｃ１が、入力側ピンＡｉｎ２には信号線Ｃ２がそれぞれ接続されている（入力側ピンＡｉｎ３以下についても同様）。
【００３０】
信号線Ｃ１、信号線Ｃ２、信号線Ｃ４、信号線Ｃ９、信号線Ｃ１１、信号線Ｃ１６については、同じ添え字の出力側ピンと接続されている。すなわち、信号線Ｃ１は出力側ピンＡｏｕｔ１と、信号線Ｃ２は出力側ピンＡｏｕｔ２と接続されている（信号線Ｃ４以下についても同様）。
【００３１】
信号線Ｃ３は、出力側ピンＡｏｕｔ６と接続されている。
信号線Ｃ５は、出力側ピンＡｏｕｔ３と接続されている。
信号線Ｃ６は、出力側ピンＡｏｕｔ５と接続されている。
信号線Ｃ７は、出力側ピンＡｏｕｔ８と接続されている。
信号線Ｃ８は、出力側ピンＡｏｕｔ２０と接続されている。
信号線Ｃ１０は、出力側ピンＡｏｕｔ１３と接続されている。
信号線Ｃ１２は、出力側ピンＡｏｕｔ１０と接続されている。
信号線Ｃ１３は、出力側ピンＡｏｕｔ１２と接続されている。
信号線Ｃ１４は、出力側ピンＡｏｕｔ１５と接続されている。
信号線Ｃ１５は、出力側ピンＡｏｕｔ１４と接続されている。
信号線Ｃ１７は、出力側ピンＡｏｕｔ１８と接続されている。
信号線Ｃ１８は、出力側ピンＡｏｕｔ１７と接続されている。
信号線Ｃ１９は、出力側ピンＡｏｕｔ７と接続されている。
信号線Ｃ２０は、出力側ピンＡｏｕｔ１９と接続されている。
【００３２】
このように変換アダプタＡの入力部Ａｉｎと出力部Ａｏｕｔとが接続されているため、映像送信装置ＶのＳＣＡＲＴ出力端子Ｖｐの各ピンの割り当てと電気的に接続されるテレビジョン装置１００の外部入力端子１１０の各ピンの割り当てとが対応する。
たとえば、映像送信装置ＶのＳＣＡＲＴ出力端子Ｖｐの５番ピンと電気的に接続されるテレビジョン装置１００の外部入力端子１１０の３番ピンとが「青色の映像信号グランド」として対応しており、映像送信装置ＶのＳＣＡＲＴ出力端子Ｖｐの３番ピン（左側の音声出力）と電気的に接続されるテレビジョン装置１００の外部入力端子１１０の６番ピン（左側の音声入力）とが対応している。
【００３３】
したがって、変換アダプタＡを介して映像送信装置Ｖとテレビジョン装置１００とを接続したとしても、映像送信装置Ｖとテレビジョン装置１００との間でそれぞれの装置の各ピンが適正に接続されているため、映像送信装置Ｖとテレビジョン装置１００との間で確実な信号のやり取りが実現される。
さらに、テレビジョン装置１００の外部入力端子１１０としてディスプレイポート入力端子を利用しているため、テレビジョン装置１００の外部入力端子１１０としてＳＣＡＲＴ入力端子を利用する場合に比べてテレビジョン装置１００の薄型化および小型化が可能となっている。
【００３４】
上述したように、テレビジョン装置１００の外部入力端子１１０として、ディスプレイポート入力端子を利用しているため、使用者は変換アダプタＡではなくディスプレイポートケーブルを誤って外部入力端子１１０に接続してしまう虞がある。
そこで、テレビジョン装置１００の外部入力端子１１０にディスプレイポートケーブルを接続した場合のテレビジョン装置１００の挙動について、図３を用いて説明する。
【００３５】
図３は、本発明の一実施形態に係るテレビジョン装置とコンテンツ送信装置とをディスプレイポートケーブルで接続させた際の各ピンの信号を整理した配線図である。
コンテンツ送信装置Ｐは、パーソナルコンピューターに代表される映像を外部に送信する機器であり、ディスプレイポート出力端子Ｐｐを少なくとも備えている。ディスプレイポート出力端子Ｐｐは、ディスプレイポート規格に準拠したものであり、２０本のピンが形成されている。そして、この２０本のピンの割り当てもディスプレイポート規格に準拠している。すなわち、
１番ピンは、「Ｍａｉｎ  Ｌａｎｅ  ０＋」に割り当てられ、
２番ピンは、グランドに割り当てられ、
３番ピンは、「Ｍａｉｎ  Ｌａｎｅ  ０−」に割り当てられ、
４番ピンは、「Ｍａｉｎ  Ｌａｎｅ  １＋」に割り当てられ、
５番ピンは、グランドに割り当てられ、
６番ピンは、「Ｍａｉｎ  Ｌａｎｅ  １−」に割り当てられ、
７番ピンは、「Ｍａｉｎ  Ｌａｎｅ  ２＋」に割り当てられ、
８番ピンは、グランドに割り当てられ、
９番ピンは、「Ｍａｉｎ  Ｌａｎｅ  ２−」に割り当てられ、
１０番ピンは、「Ｍａｉｎ  Ｌａｎｅ  ３＋」に割り当てられ、
１１番ピンは、グランドに割り当てられ、
１２番ピンは、「Ｍａｉｎ  Ｌａｎｅ  ３−」に割り当てられ、
１３番ピンは、グランドに割り当てられ、
１４番ピンは、グランドに割り当てられ、
１５番ピンは、「Ａｕｘ  ＋」に割り当てられ、
１６番ピンは、グランドに割り当てられ、
１７番ピンは、「Ａｕｘ  −」に割り当てられ、
１８番ピンは、ホットプラグ探知に割り当てられ、
１９番ピンは、グランドに割り当てられ、
２０番ピンは、３．３Ｖ信号に割り当てている。
なお、Ｍａｉｎ  Ｌａｎｅはディスプレイデータや音声データを伝送するためのチャンネルであり、Ａｕｘはデバイスを制御するための補助チャンネルである。
【００３６】
このように割り当てられているコンテンツ送信装置Ｐのディスプレイポート出力端子Ｐｐとテレビジョン装置１００の外部入力端子１１０とをディスプレイポートケーブルで接続すると、コンテンツ送信装置Ｐのディスプレイポート出力端子Ｐｐの各ピンのうち、ディスプレイデータや音声データを伝送するためのチャンネル構成するピン（１番ピン、３番ピン、４番ピン、６番ピン、７番ピン、９番ピン、１０番ピン、１２番ピン）は、テレビジョン装置１００の外部入力端子１１０の入力ピン（１番ピン、６番ピン、７番ピン、１０番ピン）あるいはグランドピン（３番ピン、４番ピン、９番ピン、１２番ピン）と接続される。また、コンテンツ送信装置Ｐのディスプレイポート出力端子Ｐｐの各ピンのうち、デバイスを制御するための補助チャンネルを構成するピン（１５番ピン、１７番ピン）は、テレビジョン装置１００の外部入力端子１１０のグランドピン（１５番ピン、１７番ピン）と接続される。
【００３７】
そして、コンテンツ送信装置Ｐのディスプレイポート出力端子Ｐｐの各ピンのうち、ホットプラグを検出するホットプラグピン（１８番ピン）は、テレビジョン装置１００の外部入力端子１１０のグランドピン（１８番ピン）と接続される。コンテンツ送信装置Ｐのディスプレイポート出力端子Ｐｐの各ピンのうち、３．３Ｖ信号を送信する２０番ピンはテレビジョン装置１００の外部入力端子１１０の２０番ピンと接続される。
【００３８】
また、テレビジョン装置１００の外部入力端子１１０の各ピンのうち、信号出力ピンとして割り当てられているピン（２番ピン、５番ピン、８番ピン、１１番ピン、１３番ピン、１４番ピン、１６番ピン、１９番ピン）は、コンテンツ送信装置Ｐのディスプレイポート出力端子Ｐｐのグランドピン（２番ピン、５番ピン、８番ピン、１１番ピン、１３番ピン、１４番ピン、１６番ピン、１９番ピン）と接続される。
【００３９】
したがって、本実施形態のようにテレビジョン装置１００の外部入力端子１１０の各ピンが割り当てられていると、コンテンツ送信装置Ｐのディスプレイポート出力端子Ｐｐとテレビジョン装置１００の外部入力端子１１０とをディスプレイポートケーブルで接続したとしても、コンテンツ送信装置Ｐのディスプレイポート出力端子Ｐｐの出力ピン（ホットプラグ検出ピン含む）とテレビジョン装置１００の外部入力端子１１０との出力ピンとが異なるピンとなっているため、出力信号が同じ信号線上に乗ることがなく、テレビジョン装置１００あるいはコンテンツ送信装置Ｐの誤動作を防ぐことができる。
【００４０】
次に、図４および図５を用いて、テレビジョン装置１００の判別部１３０によるテレビジョン装置１００の外部入力端子１１０へ接続されたケーブルの判別方法および誤接続報知方法について説明する。
図４は本発明の一実施形態に係るテレビジョン装置が実行する接続判定フローを示したフローチャートであり、図５は本発明の一実施形態に係るテレビジョン装置が誤った接続状態であることの通知方法の一例を示す模式図である。
【００４１】
テレビジョン装置１００の外部入力端子１１０に何らかのケーブルが接続される（ステップＳ１００）。
このとき、まずテレビジョン装置１００の判別部１３０が、外部入力端子１１０の２０番ピンに供給される電圧を検出する（ステップＳ１０１）。
【００４２】
外部入力端子１１０の２０番ピンに供給された電圧が３．３Ｖであった場合、判別部１３０は、ディスプレイポートケーブルが接続された（ディスプレイポート規格に準拠した信号が入力された）と判断し、ステップＳ１０２へ進む。
ステップＳ１０２では、誤接続であるため使用不能である旨を使用者に警告あるいは報知する。報知方法として、例えば図５に示すようにテレビジョン装置１００の映像表示部１４０に報知文を表示させたり、音声出力部１５０（図示せず）から警告音やガイド音声を表示させたり、ＬＥＤ１６０を点灯・点滅・色変更等をさせたりする。なお、３．３Ｖの電圧の検出については、製品のばらつきを考慮して３．３Ｖを中心に所定のマージンを持たせた電圧検出範囲とすることが望ましい。
【００４３】
ステップＳ１０１において、外部入力端子１１０の２０番ピンに供給された電圧が３．３Ｖではなかった場合、判別部１３０は、変換アダプタＡが接続された（ＳＣＡＲＴ規格に準拠した信号が入力された）と判断し、通常使用モードへ進む（ステップＳ１０３）。
なお、この場合、図２より、２０番ピンには「ワイドスクリーン切替」信号が入力される。この「ワイドスクリーン切替」信号は、ＳＣＡＲＴ規格によれば、３種類のレベルを有している。すなわち、０Ｖ〜＋２Ｖの電圧値を「Ｌｅｖｅｌ  ０」とし、＋４．５Ｖ〜＋７Ｖの電圧値を「Ｌｅｖｅｌ  １Ａ」とし、＋９．５Ｖ〜＋１２Ｖの電圧値を「Ｌｅｖｅｌ  １Ｂ」としている。したがって、変換アダプタＡが接続された（ＳＣＡＲＴ規格に準拠した信号が入力された）場合、外部入力端子１１０の２０番ピンには３．３Ｖの電圧は供給されない。
【００４４】
換言すると、本実施形態のテレビジョン装置１００の外部入力端子１１０のようにピン割り当てを行うと、２０番ピンの出力を検知することで、変換アダプタＡが接続された（ＳＣＡＲＴ規格に準拠した信号が入力された）か否かを判別することができ、誤接続を検知することができる。すなわち、テレビジョン装置１００の外部入力端子１１０の２０番ピンは、判別ピンとして機能する。また、変換アダプタＡの出力側ピンの２０番ピン（Ａｏｕｔ２０）は、ワイドスクリーン切替情報を所定の電圧のワイドスクリーン切替信号として出力する情報伝達ピンとして機能する。そして、通常使用モードでは、外部入力端子１１０の２０番ピンに供給された電圧に応じて表示スクリーンの大きさを変更する。
【００４５】
このように構成され動作する表示装置であるテレビジョン装置１００は、変換アダプタＡの一のピン（Ａｏｕｔ２０）が、映像送信装置Ｖの外部出力端子であるＳＣＡＲＴ出力端子Ｖｐから出力された所定の情報（ワイドスクリーン切替）を所定の電圧値（０Ｖ〜＋２Ｖ、＋４．５Ｖ〜＋７Ｖ、または＋９．５Ｖ〜＋１２Ｖ）としてテレビジョン装置１００の外部入力端子１１０の判別ピン（２０番ピン）に通知するピンであり、テレビジョン装置１００が、映像送信装置Ｖと変換アダプタＡを介して接続されたか否かを判別する判別部１３０を備えていることにより、判別部１３０が判別ピン（２０番ピン）に入力された電圧が所定の電圧値（３．３Ｖ）であるか否かによって、映像送信装置Ｖが変換アダプタＡを介してテレビジョン装置１００に接続されたか否かを判別するため、テレビジョン装置１００と映像送信装置Ｖとが変換アダプタＡを介して接続されたか否かを確実に判定することができる。
【００４６】
以上、本発明を実施するための形態について説明したが、本発明は上記に限定されるものではない。
例えば、本実施形態において、表示装置はテレビジョン装置であったが、放送波を受信しない単なる映像表示装置のようなものであってもよい。
例えば、本実施形態において、映像送信装置の外部出力端子としてＳＣＡＲＴ出力端子を利用し、テレビジョン装置の外部入力端子としてディスプレイポート入力端子を利用したが、表示装置の外部入力端子のピン数が映像送信装置の外部出力端子のピン数以上であれば、表示装置の外部入力端子および映像送信装置の外部出力端子は如何なる規格を使用してもよい。
【００４７】
例えば、本発明において、「ピン」は電気的接続を行うための接点を構成するものであり、その形状は問わない。さらに、本発明において、「端子」は「ピン」の１つ以上の集合体の総称である。
例えば、本実施形態においては、簡単のために、ＳＣＡＲＴ出力端子を有する映像送信装置とディスプレイポート出力端子を有するコンテンツ送信装置とに分けて説明したが、映像送信装置がＳＣＡＲＴ出力端子以外の出力端子を有していてもよい。
例えば、本実施形態においては、状態表示部としてＬＥＤを用いたが、他の発光素子を用いても良い。
【００４８】
また、本実施形態のおいては、図２のようにテレビジョン装置の外部入力端子の各ピンの機能を割り当てたが、「テレビジョン装置の外部入力端子への誤挿入防止」という観点のみであれば、テレビジョン装置の外部入力端子の各ピンの機能の割り当ては２０番ピンを除き、如何なる割り当てであっても良い。
また、「テレビジョン装置および映像送信装置の誤動作防止」という観点のみであれば、テレビジョン装置の外部入力端子の各ピンの機能の割り当ては１８番ピンをいずれかのグランドピンに割り当てれば、どの信号のグランドピンであってもよいことに加え、テレビジョン装置の外部入力端子の２番ピン、５番ピン、８番ピン、１１番ピン、１３番ピン、１４番ピン、１６番ピン、１９番ピンがいずれかの信号出力ピン（ＲＧＢ／コンポジット切替ピン含む）であれば、どの信号出力ピンであってもよい。
【符号の説明】
【００４９】
１００…テレビジョン装置、１１０…外部入力端子、１２０…演算処理部、１３０…判別部、１４０…映像表示部、１５０…音声出力部、１６０…ＬＥＤ（状態表示部）、１７０…信号線、１７１…１〜１９番ピン信号線、１７２…２０番ピン信号線、Ａ   …変換アダプタ、Ａｉｎ…入力部、Ａｉｎ１〜Ａｉｎ２０…入力側ピン、Ａｏｕｔ…出力部、Ａｏｕｔ１〜Ａｏｕｔ２０…出力側ピン、Ｃ１〜Ｃ２０…信号線、Ｖ…映像送信装置、Ｖｐ…ＳＣＡＲＴ出力端子（外部出力端子）、Ｐ…コンテンツ送信装置、Ｐｐ…ディスプレイポート出力端子。
【図１】
2019061107.tif 000003
【図２】
2019061107.tif 000004
【図３】
2019061107.tif 000005
【図４】
2019061107.tif 000006
【図５】
2019061107.tif 000007